(57)【要約】【課題】操作ノブやスイッチを削減することができる入力装置を提供する。【解決手段】パワーウインドウを操作するための入力装置１００は、操作体に操作される操作ノブ２と、操作ノブ２を支持する筐体１と、を有し、操作ノブ２の内部には、操作体の接触を検知する電極３ａが設けられ、電極３ａに接続され、操作ノブ２への操作体の接触を電極３ａの静電容量の変化から検出する制御部４と、を備え、制御部４は、操作体が操作ノブ２へ接触したことを検出した場合にパワーウインドウを操作するための制御信号を出力する。【選択図】図２
2015109212.tif 000002
【特許請求の範囲】
【請求項１】
操作体に操作される操作ノブと、
前記操作ノブを支持する筐体と、を有するパワーウインドウを操作するための入力装置であって、
前記操作ノブの内部には、操作体の接触を検知する電極が設けられ、
前記電極に接続され、前記操作ノブへの操作体の接触を前記電極の静電容量の変化から検出する制御部と、を備え、
前記制御部は、操作体が前記操作ノブへ接触したことを検出した場合に前記パワーウインドウを操作するための制御信号を出力することを特徴とする入力装置。
【請求項２】
前記操作ノブは、前記筐体に対して相対的に移動可能に支持されると共に、操作体が前記操作ノブを移動させる際に接触操作される複数の操作部を有し
前記複数の操作部にはそれぞれ前記電極が設けられ、
前記制御部に接続されると共に前記操作ノブの移動によってＯＮ信号を出力するスイッチ素子を備え
前記制御部は、前記スイッチ素子から前記ＯＮ信号が出力された際に、前記複数の操作部のうち、操作体の接触を検出した前記操作部の位置に対応した前記制御信号を出力することを特徴とする請求項１記載の入力装置。
【請求項３】
前記筐体に支軸が設けられ、
前記操作ノブには前記支軸に支持される支持部を有し、前記支軸に揺動可能に支持され、
前記操作ノブの一端には、操作された際に揺動する突出部が形成され、
前記複数の操作部は、それぞれ前記突出部の上面側に設けられた第１操作部と、下面側に設けられた第２操作部と、を有し、
前記制御部は、前記第１操作部及び前記第２操作部への操作体の接触を検出することを特徴とする請求項２記載の入力装置。
【請求項４】
前記電極は、可撓性を有するフィルム基板に形成されており、
前記フィルム基板が前記操作ノブの内部に折り曲げられて、前記電極が前記第１操作部及び前記第２操作部に対応する位置に配置されていることを特徴とする請求項３に記載の入力装置。
【請求項５】
前記筐体は凹部を有し、前記凹部の内部に前記操作ノブが配置されると共に、
前記凹部は前記第２操作部との間に空間を有し、
前記空間には、複数の前記操作部の間を仕切るように前記凹部の内底面から延設された壁部が配置されていることを特徴とする請求項３ないし請求項４のいずれかに記載の入力装置。
【請求項６】
前記制御部は前記複数の操作部のうち、少なくとも２箇所に操作体の接触を検出し、前記操作ノブが揺動操作されたことを検出した際に、前記少なくとも２箇所の操作部を同時に操作したと判断することを特徴とする請求項２ないし請求項５のいずれか一つに記載の入力装置。
【請求項７】
前記制御部は、前記操作部への接触を検出していない場合には、前記スイッチ素子から出力される前記ＯＮ信号を無視することを特徴とする請求項２ないし請求項６のいずれか一つに記載の入力装置。
【発明の詳細な説明】
【技術分野】
【０００１】
本発明は、入力装置に関し、特に、パワーウインドウを操作するための入力装置に関する。
【背景技術】
【０００２】
従来から、車両には、ドアのウインドウを開閉させるパワーウインドウ装置が搭載されている。搭乗者がパワーウインドウ装置の開閉操作に使用される入力装置の操作スイッチを操作することにより、ウインドウが上方または下方へと駆動されることで開閉される。
【０００３】
特許文献１（従来例１）に記載のパワーウインドウスイッチ９００では、図６に示すように、ケース９０１上に、窓操作ノブ９０２〜９０５と、窓ロックボタン９０６と、ドアロックボタン９０７が設けられている。窓操作ノブ９０２〜９０５は、前後方向に間隔をおいて複数設けられている。
【０００４】
１組の隣接する窓操作ノブ９０２、９０３は前側に、もう１組の隣接する窓操作ノブ９０４、９０５は、窓操作ノブ９０２、９０３と間隔をおいて後側に、それぞれ配置されている。
【０００５】
窓操作ノブ９０２は、運転席の窓ガラスを開閉するために揺動操作され、窓操作ノブ９０３は、助手席の窓ガラスを開閉するために揺動操作され、窓操作ノブ９０４、９０５は、後部座席の左右の窓ガラスを開閉するために揺動操作される。このように、パワーウインドウを上下動作させるための各窓操作ノブ９０２〜９０５及びこれらに対応する窓操作スイッチを、各ウインドウに対応させた数だけ配置する構成のパワーウインドウスイッチ（入力装置）が開示されている。
【先行技術文献】
【特許文献】
【０００６】
【特許文献１】特開２０１３‐４４６５号公報
【発明の概要】
【発明が解決しようとする課題】
【０００７】
しかしながら、上述した従来例では、各ウインドウを上下動させるための操作ノブや、操作ノブに対応するスイッチを、各ウインドウに対応させて配置しているため、操作ノブやスイッチの数が多くなってしまうため、部品点数が増大してしまうという課題があった。
【０００８】
本発明は、上述した課題を解決するもので、操作ノブやスイッチを削減することができる入力装置を提供することを目的とする。
【課題を解決するための手段】
【０００９】
この課題を解決するために、本発明の入力装置は、操作体に操作される操作ノブと、前記操作ノブを支持する筐体と、を有するパワーウインドウを操作するための入力装置であって、前記操作ノブの内部には、操作体の接触を検知する電極が設けられ、前記電極に接続され、前記操作ノブへの操作体の接触を前記電極の静電容量の変化から検出する制御部と、を備え、前記制御部は、操作体が前記操作ノブへ接触したことを検出した場合に前記パワーウインドウを操作するための制御信号を出力することを特徴とする。
【００１０】
これによれば、制御部は、操作体が操作部へ接触したことを検出した場合にパワーウインドウを操作するための制御信号を出力することができる。このため、スイッチ素子を用いることなくパワーウインドウを操作することができ、操作ノブやスイッチ素子を削減することができる入力装置を提供することができる。
【００１１】
また、本発明の入力装置は、前記操作ノブは、前記筐体に対して相対的に移動可能に支持されると共に、操作体が前記操作ノブを移動させる際に接触操作される複数の操作部を有し前記複数の操作部にはそれぞれ前記電極が設けられ、前記制御部に接続されると共に前記操作ノブの移動によってＯＮ信号を出力するスイッチ素子を備え前記制御部は、前記スイッチ素子から前記ＯＮ信号が出力された際に、前記複数の操作部のうち、操作体の接触を検出した前記操作部の位置に対応した前記制御信号を出力することを特徴とする。
【００１２】
これによれば、制御部は、操作体が接触した複数の操作部に対応した位置と、操作ノブの移動によって駆動されたスイッチ素子と、に対応した制御信号を出力するので、１つの操作ノブで複数の窓を選択して操作することができる。従って、操作ノブやスイッチを削減することができる入力装置を提供することができる。
【００１３】
また、本発明の入力装置は、前記筐体に支軸が設けられ、前記操作ノブには前記支軸に支持される支持部を有し、前記支軸に揺動可能に支持され、前記操作ノブの一端には、操作された際に揺動する突出部が形成され、前記複数の操作部は、それぞれ前記突出部の上面側に設けられた第１操作部と、下面側に設けられた第２操作部と、を有し、前記制御部は、前記第１操作部及び前記第２操作部への操作体の接触を検出することを特徴とする。
【００１４】
これによれば、上面側に設けられた第１操作部と、下面側に設けられた第２操作部への接触を検知することで、操作ノブやスイッチ素子を削減しても、従来のパワーウインドウスイッチと同様の操作感覚で入力操作を行うことができる。
【００１５】
また、本発明の入力装置は、前記電極は、可撓性を有するフィルム基板に形成されており、前記フィルム基板が前記操作ノブの内部に折り曲げられて、前記電極が前記第１操作部及び前記第２操作部に対応する位置に配置されていることを特徴とする。
【００１６】
これによれば、電極が可撓性を有するフィルム基板に形成され、第１操作部及び第２操作部に向かうように配置されているので、１つのフィルム基板で２つの操作部に電極を簡単に配置することができる。このため、部品点数を削減でき、組み立ても容易になる。
【００１７】
また、本発明の入力装置は、前記筐体は凹部を有し、前記凹部の内部に前記操作ノブが配置されると共に、前記凹部は前記第２操作部との間に空間を有し、前記空間には、複数の前記操作部の間を仕切るように前記凹部の内底面から延設された壁部が配置されていることを特徴とする。
【００１８】
これによれば、複数の操作部の間に仕切りとなる壁部が設けられているので、操作位置を誤って操作してしまうことを防止することができる。
【００１９】
また、本発明の入力装置は、前記制御部は前記複数の操作部のうち、少なくとも２箇所に操作体の接触を検出し、前記操作ノブが揺動操作されたことを検出した際に、前記少なくとも２箇所の前記操作部を同時に操作したと判断することを特徴とする。
【００２０】
これによれば、複数の操作部のうち複数の箇所を同時に操作した場合、接触を検出した操作体の位置に対応する窓を操作する信号を出力するので、１回の操作で簡単に複数の箇所の窓を操作することができる入力装置を提供することができる。
【００２１】
また、本発明の入力装置は、前記制御部は、前記操作部への接触を検出していない場合には、前記スイッチ素子から出力される前記ＯＮ信号を無視することを特徴とする。
【００２２】
これによれば、操作部への接触を検出していない場合には、スイッチ素子の状態を検出しないので、落下物等によって操作ノブが動作してしまうことによる誤動作を防止することができる。
【発明の効果】
【００２３】
以上により、本発明によれば、操作ノブやスイッチを削減することができる入力装置を提供することができる。
【図面の簡単な説明】
【００２４】
【図１】本発明の実施形態に係る入力装置の外観図である。
【図２】本発明の実施形態に係る入力装置の電気的構成を示すブロック図である。
【図３】筐体の形状を説明する図である。
【図４】操作ノブの形状を説明する図である。
【図５】入力装置１００の構造を説明する図である。
【図６】従来技術のパワーウインドウスイッチ（入力装置）を説明する図である。
【発明を実施するための形態】
【００２５】
［第１実施形態］
以下に本発明の第１実施形態におけるパワーウインドウを操作するための入力装置１００について説明する。
【００２６】
まず始めに本実施形態における入力装置１００の構成について図１ないし図５を用いて説明する。図１は入力装置１００の外観図である。図２は入力装置１００の電気的構成を示すブロック図である。図３は、筐体１の形状を説明する図である。図４は操作ノブ２の形状を説明する図である。図５は、入力装置１００の構造を説明する図で、図５（ａ）は、入力装置１００の上面図（図１のＺ１側からＺ２側を見た図）であり、図５（ｂ）は、図５（ａ）に示すＡ‐Ａ断面を示す断面模式図である。
【００２７】
入力装置１００は、図１に示すように、筐体１と、操作体に操作される２つの操作ノブ２と、が組み合わされることによって形作られる外観形状を有している。尚、２つの操作ノブ２を区別する場合、図１に示すＸ２側に配置されている操作ノブ２を操作ノブ２（Ｆ）とし、図１に示すＸ１側に配置されている操作ノブ２を操作ノブ２（Ｂ）と記述する。また、入力装置１００は図２に示すように、複数の電極３ａと、制御部４と、２つのスイッチ素子５と、を備えている。
【００２８】
筐体１は合成樹脂材料で成形されており、図１及び図３に示すように、概ね直方体の形状を有し、その上面側（図１に示すＺ１側）には２つの凹部１ａを有している。それぞれの凹部１ａの内部には内底面１ｂが設けられており、それぞれ内底面１ｂから延設された壁部１ｃが配置されている。また図３及び図５（ａ）に示すように、２つの凹部１ａの内底面１ｂの両側（図３に示すＹ１−Ｙ２側）には、側壁部１ｄが向かい合って設けられており、それぞれの側壁部１ｄから凹部１ａの内側に向かって、支軸１ｅが設けられている。
【００２９】
操作ノブ２は合成樹脂で成形されており、図４に示すように、両側の側面に支持部２ａが設けられており、操作ノブ２の一端（図４に示すＸ２側）には突出部２ｂが形成されている。突出部２ｂの上面側（図４に示すＺ１側）には第１操作部２ｃが設けられ、下面側（図４に示すＺ２側）には前方（図２に示すＸ２側）に向けて第２操作部２ｄが設けられている。
【００３０】
第１操作部２ｃには、図４に示すＹ１側に第１左側操作部２ｃＬと、Ｙ２側に第１右側操作部２ｃＲと、を有しており、第２操作部２ｄには、図４に示すＹ１側に第２左側操作部２ｄＬと、Ｙ２側に第２右側操作部２ｄＲと、を有している。従って、操作ノブ２には複数の操作部として、第１左側操作部２ｃＬと、第１右側操作部２ｃＲと、第２左側操作部２ｄＬと、第２右側操作部２ｄＲと、が配置されている。尚、本実施形態では複数の操作部は４箇所の操作部とする。これらの操作部は、操作者の手指などの操作体によって接触操作や、押圧操作または引き上げ操作される。
【００３１】
操作ノブ２の、第１操作部２ｃ及び第２操作部２ｄの内部には空間が形成されており、操作ノブ２の下側（図４に示すＺ２側）には駆動部２ｅが設けられている。
【００３２】
電極３ａは、ポリイミドなどで形成された可撓性を有するフィルム基板３に銅などの金属箔によって形成され、図５（ｂ）に示すように、電極３ａと電気的に接続されている接続部３ｂを有している。
【００３３】
制御部４は図２に示すように、容量検出部４ａと、演算部４ｂと、記憶部４ｃと、出力端子４ｄと、を有している。また、制御部４は複数の電極３ａと、２つのスイッチ素子５と、に接続されている。また制御部４は、図示しないタイマー機能を備え所定の時間間隔で制御のための演算等の処理を行う。
【００３４】
制御部４に備えられた容量検出部４ａは、演算部４ｂに接続されており、制御部４に接続された複数の電極３ａのそれぞれの静電容量を検出し、その結果を演算部４ｂに出力する。
【００３５】
制御部４に備えられた演算部４ｂは、容量検出部４ａと記憶部４ｃとに接続されており、容量検出部４ａを制御し、容量検出部４ａが検出したそれぞれの電極３ａに対応した静電容量の値を取得する。また演算部４ｂは、取得した静電容量の値を演算すると共に、演算結果や、スイッチ素子５の状態に基づいて出力端子４ｄに制御信号を出力する。また演算部４ｂは、取得した静電容量の値や、スイッチ素子５の状態、演算結果等を記憶部４ｃに記憶させる。
【００３６】
制御部４に備えられた記憶部４ｃは、演算部４ｂの演算手順を示すプログラムが記憶されるプログラム領域及び、容量検出部４ａから取得した静電容量の値やスイッチ素子５の状態、演算の結果等を記憶する記憶領域を有している。プログラム領域に記憶されている演算手順に従って演算部４ｂが演算を行い、演算に必要な静電容量の値やスイッチ素子５の状態及びそれらを演算した演算結果などが記憶される。
【００３７】
スイッチ素子５は、図２に示すようにウインドウを閉じるための操作によってＯＮ信号を出力する閉スイッチ５ｕと、ウインドウを開けるための操作によってＯＮ信号を出力する開スイッチ５ｄと、を有している。また、スイッチ素子５は図５（ｂ）に示すように、２つの操作ノブ２に対応して、それぞれ一つずつ配置されている。尚、２つのスイッチ素子５を区別する場合、図５（ｂ）に示すＸ２側に配置されているスイッチ素子５をスイッチ素子５（Ｆ）とし、図５（ｂ）に示すＸ１側に配置されているスイッチ素子５をスイッチ素子５（Ｂ）と記述する。従って、操作ノブ２（Ｆ）に対応してスイッチ素子５（Ｆ）が配置され、操作ノブ２（Ｂ）に対応してスイッチ素子５（Ｂ）が配置されていることとなる。
【００３８】
２つのスイッチ素子５に備えられた閉スイッチ５ｕは、それぞれ一端が制御部４に接続されると共に、抵抗Ｒ１またはＲ３を介して電源に接続されており、他端がそれぞれ基準電位となるグランドに接続されている。また、２つのスイッチ素子５に備えられた開スイッチ５ｄは、それぞれ一端が制御部４に接続されると共に、抵抗Ｒ２またはＲ４を介して電源に接続されており、他端がそれぞれ基準電位となるグランドに接続されている。このため、スイッチ素子５の出力は、閉スイッチ５ｕ及び開スイッチ５ｄがＯＦＦの場合、電源の電位と同じハイレベル（以下”Ｈ”と記す）信号が出力される。また、閉スイッチ５ｕまたは開スイッチ５ｄのいずれかがＯＮとなった場合には、ＯＮ信号としてグランド電位となるローレベル（以下”Ｌ”と記す）信号が出力される。
【００３９】
次に入力装置１００の構造について図１及び図５を用いて説明する。
【００４０】
図１及び図５に示すように、筐体１に設けられた２つの凹部１ａの内部に、それぞれ操作ノブ２が配置されている。筐体１に設けられた凹部１ａの側壁部１ｄに設けられた支軸１ｅに、操作ノブ２に設けられた支持部２ａが支持されることで、操作ノブ２は、筐体１に対して相対的に移動可能に支持される。
【００４１】
凹部１ａは操作ノブ２に設けられた第２操作部２ｄとの間に操作者の手指などの操作体が入る空間を有している。空間の中央部には、第２左側操作部２ｄＬと、Ｙ２側に第２右側操作部２ｄＲと、の２つの操作部の間を仕切るように凹部１ａの内底面１ｂから延設された壁部１ｃが設けられている。
【００４２】
操作ノブ２は、支軸１ｅを支点として筐体１に設けられた凹部１ａの内部で揺動可能に支持され、操作体によって操作された際に揺動することができる。
【００４３】
操作体が操作ノブ２（Ｆ）に設けられた第１操作部２ｃを、図５に示すＺ１側からＺ２側に向かって押圧すると、操作ノブ２（Ｆ）は支軸１ｅを支点として突出部２ｂがＺ２側に移動するように揺動し、駆動部２ｅをＸ１側に移動させる。駆動部２ｅがＸ１側に移動することによって、スイッチ素子５（Ｆ）に備えられた開スイッチ５ｄがＯＮされてＯＮ信号が出力される。
【００４４】
操作体が操作ノブ２（Ｆ）に設けられた第２操作部２ｄを、図５に示すＺ２側からＺ１側に向かって引き上げると、操作ノブ２（Ｆ）は支軸１ｅを支点として突出部２ｂがＺ１側に移動するように揺動し、駆動部２ｅをＸ２側に移動させる。駆動部２ｅがＸ２側に移動することによって、スイッチ素子５（Ｆ）に備えられた閉スイッチ５ｕがＯＮされてＯＮ信号が出力される。
【００４５】
以上のように、操作ノブ２の第１操作部２ｃを押圧操作し、また第２操作部２ｄを引き上げ操作することで、操作ノブ２を揺動操作することができる。
【００４６】
操作ノブ２の内部には、操作体の接触を検知するための２つの電極３ａが形成されたフィルム基板３が図５に示すように折り曲げられて配置されている。尚、２つの電極３ａを区別する場合、図５（ａ）に示すＹ２側に配置されている電極３ａを電極３ａ（Ｒ）とし、図５（ａ）に示すＹ１側に配置されている電極３ａを電極３ａ（Ｌ）と記述する。
【００４７】
フィルム基板３に設けられた電極３ａ（Ｌ）が第１操作部２ｃ及び第２操作部２ｄの第１左側操作部２ｃＬと第２左側操作部２ｄＬと、に対応する位置に配置され、電極３ａ（Ｒ）が第１右側操作部２ｃＲと第２右側操作部２ｄＲと、に対応する位置に配置されている。従って、４つの操作部にはそれぞれ対応する位置に電極３ａが設けられていることとなる。
【００４８】
次に入力装置１００の動作について図１及び図５を用いて説明する。
【００４９】
まず初期状態、として入力装置１００に対して操作が加えられていない状態の動作について説明する。
【００５０】
入力装置１００に操作が加えられていない状態では、図１に示す操作ノブ２が操作されていないため、操作体が接近または近接していないので、操作ノブ２の４つの操作部に設けられたそれぞれの電極３ａは初期状態の静電容量を有している。また操作ノブ２が操作されていないため、操作ノブ２に対応して設けられたスイッチ素子５の閉スイッチ５ｕ及び開スイッチ５ｄは共にＯＦＦ状態である。このため、スイッチ素子５に接続されている制御部４には、スイッチ素子５の出力信号としてＯＦＦ状態を示す”Ｈ”信号が入力されている。
【００５１】
制御部４に備えられた演算部４ｂは、容量検出部４ａを制御して複数の電極３ａのそれぞれの静電容量の値を取得し、記憶部４ｃに静電容量記憶領域を設定して記憶する。また演算部４ｂは、取得した静電容量の値と、操作ノブ２に設けられた複数の操作部に対して操作体が接触したことを判断するための閾値との比較を行い、いずれかの操作部に対して操作体の接触の有無を判断する。初期状態では、いずれの操作部に対しても操作体の接触が無いため接触無し、と判断することとなる。
【００５２】
制御部４に備えられた演算部４ｂは、いずれの操作部へも操作体の接触を検出していない場合には、スイッチ素子５から出力される信号を無視し、操作が行われていないことを示す制御信号を出力端子４ｄに出力して処理を終了する。この場合、スイッチ素子５から出力されている信号がＯＮ信号であっても操作が行われていない信号を出力するので、落下物等によって操作ノブ２が動いてしまった場合でも誤動作を防止することができる。
【００５３】
次に、操作者の手指が操作体として、操作ノブ２（Ｆ）の第２操作部２ｄに備えられた第２左側操作部２ｄＬを操作した場合の動作について説明する。
【００５４】
操作体が操作ノブ２（Ｆ）の第２左側操作部２ｄＬを操作した場合、操作体が第２左側操作部２ｄＬに接触すると、操作ノブ２（Ｆ）の内部に配置された電極３ａ（Ｌ）に操作体が近接するため、この電極３ａ（Ｌ）の静電容量が変化する。
【００５５】
制御部４に備えられた演算部４ｂは、容量検出部４ａを制御して複数の電極３ａのそれぞれの静電容量の値を取得し、記憶部４ｃに静電容量記憶領域を設定して記憶する。また演算部４ｂは、取得した静電容量の値と、操作ノブ２に設けられた複数の操作部に対して操作体が接触したことを判断するための閾値との比較を行う。操作体が第２左側操作部２ｄＬに接触することで、操作ノブ２（Ｆ）の内部に配置された電極３ａ（Ｌ）の静電容量が変化するため、接触有と判断され操作ノブ２（Ｆ）への接触が検出される。
【００５６】
更に操作体によって、操作ノブ２（Ｆ）の第２左側操作部２ｄＬが上（図５に示すＺ１）側に引き上げられると、スイッチ素子５（Ｆ）の閉スイッチ５ｕがＯＮとなる。制御部４には、スイッチ素子５（Ｆ）の閉スイッチ５ｕからスイッチ素子５（Ｆ）の出力信号としてＯＮ状態を示す”Ｌ”信号が入力される。
【００５７】
制御部４に備えられた演算部４ｂは、操作ノブ２（Ｆ）の第２左側操作部２ｄＬへの接触を、対応する電極３ａ（Ｌ）の静電容量の変化から検出すると共に、スイッチ素子５（Ｆ）の閉スイッチ５ｕからのＯＮ信号が入力される。このため、演算部４ｂは第２左側操作部２ｄＬが引き上げ操作されたと判断することができるので、この操作に対応してパワーウインドウを操作するための制御信号を出力端子４ｄに出力する。
【００５８】
例えば、操作ノブ２（Ｆ）の内部に配置された電極３ａ（Ｌ）と車両の前方左側のウインドウとを対応させ、引き上げ操作とウインドウを閉じる動作を対応させることで、車両前方左側のウインドウを閉じる動作に対応する制御信号を出力することができる。このように、それぞれの操作部に対応した電極３ａとウインドウの位置とを対応させ、操作ノブ２の操作方向と開閉動作とを対応させることで、２つの操作ノブ２と２つのスイッチ素子５で４箇所のウインドウ操作に対応した入力装置を提供することができる。
【００５９】
また、電極３ａ（Ｌ）が第２左側操作部２ｄＬと第１左側操作部２ｃＬとに対応しているため、操作体が第２左側操作部２ｄＬと第１左側操作部２ｃＬとをつまむように保持して操作を行っても、問題なく同様の操作を行うことができる。
【００６０】
次に、操作者の手指が操作体として、操作ノブ２（Ｂ）の第１操作部２ｃに備えられた第１左側操作部２ｃＬと第１右側操作部２ｃＲと、の２箇所を一緒に操作した場合の動作について説明する。
【００６１】
操作体が操作ノブ２（Ｂ）の第１左側操作部２ｃＬと第１右側操作部２ｃＲと、を一緒に操作する場合には、操作体が第１左側操作部２ｃＬと第１右側操作部２ｃＲとに接触する。この場合、操作ノブ２（Ｂ）の内部に配置された電極３ａ（Ｌ）と電極３ａ（Ｒ）に操作体が近接するため、電極３ａ（Ｌ）と電極３ａ（Ｌ）の静電容量が変化する。
【００６２】
制御部４に備えられた演算部４ｂは、容量検出部４ａを制御して複数の電極３ａのそれぞれの静電容量の値を取得し、記憶部４ｃに静電容量記憶領域を設定して記憶する。また演算部４ｂは、取得した静電容量の値と、操作ノブ２に設けられた複数の操作部に対して操作体が接触したことを判断するための閾値との比較を行う。操作体が第１左側操作部２ｃＬと第１右側操作部２ｃＲとに接触し、操作ノブ２（Ｂ）の内部に配置された電極３ａ（Ｌ）と電極３ａ（Ｒ）の静電容量が変化するため、接触有と判断され操作ノブ２（Ｂ）への接触が検出される。
【００６３】
更に操作体によって、操作ノブ２（Ｂ）の第１左側操作部２ｃＬと第１右側操作部２ｃＲとが下（図５に示すＺ２）側に押圧されると、スイッチ素子５（Ｂ）の開スイッチ５ｄがＯＮとなる。制御部４には、スイッチ素子５（Ｂ）の開スイッチ５ｄからスイッチ素子５（Ｂ）の出力信号としてＯＮ状態を示す”Ｌ”信号が入力される。
【００６４】
制御部４に備えられた演算部４ｂは、操作ノブ２（Ｂ）の第１左側操作部２ｃＬと第１右側操作部２ｃＲとへの接触を、対応する電極３ａ（Ｌ）と電極３ａ（Ｌ）との静電容量の変化から検出する。またスイッチ素子５（Ｂ）の開スイッチ５ｄからのＯＮ信号が入力される。このため、演算部４ｂは第１左側操作部２ｃＬと第１右側操作部２ｃＲとの２箇所の操作部が同時に押圧操作したと判断することができるので、この操作に対応してパワーウインドウを操作するための制御信号を出力端子４ｄに出力する。
【００６５】
例えば、操作ノブ２（Ｂ）の内部に配置された電極３ａ（Ｌ）と車両の後方左側のウインドウとを、また電極３ａ（Ｒ）と車両の後方右側のウインドウとを対応させ、押圧操作とウインドウを閉じる動作を対応させる。このように電極３ａとウインドウの位置及び操作ノブ２の操作方向と開閉動作を対応させることで、車両後方の左右両側のウインドウを開く動作に対応する制御信号を出力することができる。
【００６６】
尚、第１左側操作部２ｃＬに対応する電極３ａと、第２左側操作部２ｄＬに対応する電極３ａ及び、第１右側操作部２ｃＲに対応する電極３ａと、第２右側操作部２ｄＲに対応する電極３ａと、をそれぞれ独立して配置することも可能である。この場合、第１操作部側からの操作と第２操作部側からの操作をウインドウの開閉動作とを対応させることで、スイッチ素子５を省略することができる。
【００６７】
以下、本実施形態としたことによる効果について説明する。
【００６８】
本実施形態のパワーウインドウを操作するための入力装置１００では、操作体に操作される操作ノブ２と、操作ノブ２を支持する筐体１と、を有し、操作ノブ２の内部には、操作体の接触を検知する電極３ａが設けられている。電極３ａに接続され、操作ノブ２への操作体の接触を電極３ａの静電容量の変化から検出する制御部４を備え、制御部４は、操作体が操作ノブ２へ接触したことを検出した場合にパワーウインドウを操作するための制御信号を出力するよう構成した。
【００６９】
これにより、制御部４は、操作体が操作部への接触を検出した場合にパワーウインドウを操作するための制御信号を出力することができる。このため、スイッチ素子５を用いることなくパワーウインドウを操作することができ、操作ノブ２やスイッチ素子５を削減することができる入力装置を提供することができる。
【００７０】
また、本実施形態の入力装置１００では、操作ノブ２は、筐体１に対して相対的に移動可能に支持されると共に、操作体が操作ノブ２を移動させる際に接触操作される複数の操作部を有し複数の操作部にはそれぞれ電極３ａが設けられている。また、制御部４に接続され操作ノブ２の移動によってＯＮ信号を出力するスイッチ素子５を備え、制御部４はスイッチ素子５からＯＮ信号が出力された際に、複数の操作部のうち、操作体の接触を検出した操作部の位置に対応した制御信号を出力するよう構成した。
【００７１】
これにより、制御部４は、操作体が接触した複数の操作部に対応した位置と、操作ノブ２の移動によって駆動されたスイッチ素子５と、に対応した制御信号を出力するので、１つの操作ノブ２で複数の窓を選択して操作することができる。従って、操作ノブ２やスイッチ素子５を削減することができる入力装置を提供することができる。
【００７２】
また、本実施形態の入力装置１００では、筐体１に支軸１ｅが設けられ、操作ノブ２には支軸１ｅに支持される支持部２ａを有し、支軸１ｅに揺動可能に支持され、操作ノブ２の一端には、操作された際に揺動する突出部２ｂが形成されている。複数の操作部は、それぞれ突出部２ｂの上面側に設けられた第１操作部２ｃと、下面側に設けられた第２操作部２ｄと、を有し、制御部４は、第１操作部２ｃ及び第２操作部２ｄへの操作体の接触を検出するよう構成した。
【００７３】
これにより、上面側に設けられた第１操作部２ｃと、下面側に設けられた第２操作部２ｄへの接触を検知することで、操作ノブ２やスイッチ素子５を削減しても、従来の入力装置と同様の操作感覚で入力操作を行うことができる。
【００７４】
また、本実施形態の入力装置１００では、電極３ａは、可撓性を有するフィルム基板３に形成されており、フィルム基板３が操作ノブ２の内部に折り曲げられて、電極３ａが第１操作部２ｃ及び第２操作部２ｄに対応する位置に配置される構成とした。
【００７５】
これにより、電極３ａが可撓性を有するフィルム基板３に形成され、第１操作部２ｃ及び第２操作部２ｄに向かうように配置されているので、１つのフィルム基板３で２つの操作部に電極３ａを簡単に配置することができる。このため、部品点数を削減でき、容易に組み立てることができる。
【００７６】
また、本実施形態の入力装置１００では、筐体１は凹部１ａを有し、凹部１ａの内部に操作ノブ２が配置されると共に、凹部１ａは第２操作部２ｄとの間に空間を有し、空間には、複数の操作部の間を仕切るように凹部１ａの内底面１ｂから延設された壁部１ｃが配置されるよう構成した。
【００７７】
これにより、複数の操作部の間に仕切りとなる壁部１ｃが設けられているので、操作位置を誤って操作してしまうことを防止することができる。
【００７８】
また、本実施形態の入力装置１００では、制御部４は複数の操作部のうち、少なくとも２箇所に操作体の接触を検出し、操作ノブ２が揺動操作されたことを検出した際に、少なくとも２箇所の操作部を同時に操作したと判断するように構成した。
【００７９】
これにより、複数の操作部のうち複数の箇所を同時に操作した場合、接触を検出した操作体の位置に対応する窓を操作する信号を出力するので、１回の操作で簡単に複数の箇所の窓を操作することができる入力装置を提供することができる。
【００８０】
また、本実施形態の入力装置１００では、制御部４は、操作部への接触を検出していない場合には、スイッチ素子５から出力されるＯＮ信号を無視するように構成した。
【００８１】
これにより、操作部への接触を検出していない場合には、スイッチ素子５の状態を検出しないので、落下物等によって操作ノブ２が動いてしまうことによる誤動作を防止することができる。
【００８２】
以上のように、本発明の実施形態に係る入力装置１００を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００８３】
（１）本実施形態において、操作体の近接を静電容量の変化で検出することで説明を行ったが、静電容量の値の検出は、静電容量に対応した電流値や電圧値等に変換された信号で行っても良い。また、それらの信号がアナログデジタル変換（ＡＤ変換）されたデジタル信号であっても良い。
【００８４】
（２）本実施形態において、操作体が操作部へ接触した場合に電極３ａの静電容量が変化するのを検出する例を挙げて説明を行ったが、電極３ａに対して操作体が接触していない場合でも近接したことで操作を検出するようにしても良い。この場合、操作者が操作位置を把握し易いよう、操作部の位置と近接操作されている箇所の位置をＬＥＤ等の表示素子を用いて表示させることで操作位置の誤りを防ぐことができる。
【００８５】
（３）本実施形態において、操作ノブ２には、４箇所の操作部が配置され、操作ノブ２とスイッチ素子５がそれぞれ２つ備えられている例を示して説明を行ったが、一つの操作ノブに更に多くの操作部を設けても良い。また操作ノブ２やスイッチ素子５の数は適用されるパワーウインドウの状況に応じて変更して実施しても良い。
【符号の説明】
【００８６】
１      筐体
１ａ    凹部
１ｂ    内底面
１ｃ    壁部
１ｄ    側壁部
１ｅ    支軸
２      操作ノブ
２ａ    支持部
２ｂ    突出部
２ｃ    第１操作部
２ｃＬ  第１左側操作部
２ｃＲ  第１右側操作部
２ｄ    第２操作部
２ｄＬ  第２左側操作部
２ｄＲ  第２右側操作部
２ｅ    駆動部
３      フィルム基板
３ａ    電極
３ｂ    接続部
４      制御部
４ａ    容量検出部
４ｂ    演算部
４ｃ    記憶部
４ｄ    出力端子
５      スイッチ素子
５ｄ    開スイッチ
５ｕ    閉スイッチ
１００  入力装置
【図１】
2015109212.tif 000003
【図２】
2015109212.tif 000004
【図３】
2015109212.tif 000005
【図４】
2015109212.tif 000006
【図５】
2015109212.tif 000007
【図６】
2015109212.tif 000008